(57)【要約】本発明は、静止画、動画、音及び臭気を組み合わせたデジタル作品を視聴者に伝えることを可能とするものである。多感覚画像装置は、従来技術の画像装置に似た外観を有し、提供される作品と調和するよう個人化された着脱可能なフレームを有する。画像装置に代わり高解像度フラット電子スクリーン（１）が空間を占めている。統合装置によって、多感覚作品の製作者により選択された音（２）及び臭気（３）を提供することができる。本発明によれば、視覚、聴覚、臭覚及び触覚等の人間の感覚を活性化させ、視聴者に強い感情を経験させることができる。
2008517341.tif 000002
【特許請求の範囲】
【請求項１】
グラフィック表示手段（１）、音提供手段（２）、複数の香気を提供する手段（３）、デジタルデータ受信手段（４）及びコンピュータ手段（５）を備え、
前記コンピュータ手段は、前記表示装置（１）、前記音提供手段（２）及び前記香気提供手段（３）を制御し、かつ及び同調させるように設けられている多感覚画像装置。
【請求項２】
請求項１記載の多感覚画像装置は、更に、
取り外し及び交換が可能であり、かつデジタル多感覚作品の提供に応じて個人化が可能なフレームを備えている多感覚画像装置。
【請求項３】
請求項１又は２記載の多感覚画像装置において、
香気液を微細化する方法により前記香気提供手段が作動し、異なる香気を含む液体が再充填又は交換可能な複数の小瓶に収容されている多感覚画像装置。
【請求項４】
請求項１又は２記載の多感覚画像装置において、
香気液に浸漬された一連の多孔質ボールに空気流を通過させることで前記香気提供手段が作動し、異なる香気を含むボールが再充填又は交換可能な容器に収容されている多感覚画像装置。
【請求項５】
請求項１〜４のうちのいずれか１項に記載の多感覚画像装置において、
前記音提供手段の音源の大部分が隠蔽され、反射体（８）を形成する剛性プレートに向けて音を発することで、その音が前記画像装置を通過することなく視聴者に向けて伝えられる多感覚画像装置。
【請求項６】
請求項１〜５のうちのいずれか１項に記載の多感覚画像装置において、
公知の種類の有線又は無線リンクを用いて提供されるデジタル多感覚作品をダウンロードする手段を備える多感覚画像装置。
【請求項７】
請求項１〜６のうちのいずれか１項に記載の多感覚画像装置において、
前記コンピュータ手段は、作品の製作者に支払われる使用料を計算することを目的として、前記多感覚作品が提供される回数をカウントするプログラムを備える多感覚画像装置。
【請求項８】
請求項１〜７のうちのいずれか１項に記載の多感覚画像装置において、
前記デジタル多感覚作品に含まれる命令に従い前記コンピュータ手段によって制御され、縦、横又は斜めの形式で前記画像装置を自動的に配置する機械的手段を備える多感覚画像装置。
【請求項９】
請求項１〜８のうちのいずれか１項に記載の多感覚画像装置において、
前記コンピュータ手段は、ソフトウェア解読キーを所有しないユーザーに多感覚作品が提供されないように暗号化されたデジタル多感覚作品を解読するためのソフトウェアを備える多感覚画像装置。
【請求項１０】
請求項１〜９のうちのいずれか１項に記載の多感覚画像装置において、
香気分子を含む空気流を前記香気提供手段（３）を通して運ぶための手段（１１）を備え、前記ダクト手段（１１）は、前記スクリーン（１）の下部に配置され、かつ実質的に上方を向く出口オリフィス（９）を備えている多感覚画像装置。
【請求項１１】
請求項１〜１０のうちのいずれか１項に記載の多感覚画像装置において、
前記出口オリフィス（９）は、視聴者に向けて上方に、水平線に対し０°よりも大きい角度で配置されている多感覚画像装置。
【請求項１２】
請求項１〜１１のうちのいずれか１項に記載の多感覚画像装置において、
前記スクリーン（１）は、コンピュータ（５）、香気提供（３）、音提供（２）及びデジタルデータ受信手段の全てを備える前記フレーム（６）に対し旋回可能に取着されたドア（１４）に取り付けられている多感覚画像装置。
【請求項１３】
請求項１〜１２のうちのいずれか１項に記載の多感覚画像装置において、
前記ドア（１４）が前記フレーム（６）に対し開いているときに前記香気提供手段（３）をニュートラル位置に配置し、かつ前記香気提供手段（３）の容器をロックする手段を備えている多感覚画像装置。
【請求項１４】
複数の請求項１〜１３のうちのいずれか１項に記載の多感覚画像装置からなるシステムにおいて、
遠隔コンピュータサーバーを有する標準的な電気通信ネットワークで通信し、単一のサーバーから複数の場所で異なるデジタル多感覚作品を提供可能なシステム。
【請求項１５】
請求項１〜１３のうちのいずれか１項に記載の複数の多感覚画像装置からなる装置において、
有線又は無線リンクにより互いに連絡しており、同じ部屋で複数の画像装置多感覚作品を提供可能な装置。
【請求項１６】
請求項１〜１５のうちのいずれか１項に記載の多感覚画像装置用の多感覚作品を作製するためのソフトウェアデータベース。
【発明の詳細な説明】
【技術分野】
【０００１】
本発明は、マルチメディア提供手段（画像及び音）及び香気提供手段を備える多感覚提供装置に関する。
【背景技術】
【０００２】
そのような画像装置として、特許出願ＷＯ９２／１３４７４によるものが知られ、この場合、人工的ウィンドウが照明、投影、及び音、香気を生成する各種の手段を備え、それらが、視聴者に感覚的効果を生じさせる。しかしながら、有効な感覚的効果を有するこの装置にはある欠点があり、具体的には、感覚的効果に加え嗅覚効果を有する複雑なマルチメディアデジタル作品を提供することができないという点である。
【０００３】
この装置に基づく香気記憶装置及び香気提供システムとして、特許ＵＳ６６０２４７５によるものもが知られている。この装置及びシステムの特殊性は、香気媒体及びマルチメディアデータが同じ媒体に含まれているため、それらが密接に関連しているという点にある。この手法の欠点として、そのような媒体、即ち、マルチメディアコンテンツを消耗させ易くする香気媒体の消尽性に加え、同媒体の製造コストが挙げられる。
【０００４】
ビデオ画像及び／又は音に加え、ユーザーに香気を提供する装置として、特許ＵＳ６１６９５９５によるものも知られている。１以上のバルブを通過する空気の流れが香気の混合物を生成し、その混合物がチューブによってユーザーの鼻に送り込まれる。この装置は、一人のユーザー専用であるという欠点を有している。
【０００５】
また、周囲の人々の存在に知能を働かせるディスプレイシステムとして、特許出願ＵＳ２００１／０３Ｂ０３４によるものも知られている。その装置は、多感覚提供、具体的には、香気や音やデジタルグラフィック媒体からなる多感覚提供に関するものではない。
【発明の開示】
【発明が解決しようとする課題】
【０００６】
本発明は、これら欠点のうちの少なくとも一つを解決することを目的とする。その目的に関し、本発明は、公衆に対して、以下に「多感覚画像装置」と称される静止画、動画、音、香気、及び可能であれば触感などを組み合わせたデジタル媒体を提供する装置に関する。本発明は、標準的な画像装置の形態で提供され、そのフレームは、提供されるデジタル作品に応じて取り外してもよく、個人用としてもよい。画像キャンバスを高解像度電子フラットスクリーンに代えると共に、一体化された装置により、表示画像や発せられる音の配列に応じて選択される様々な香気を提供することができる。従って、本発明は、人間の感覚、即ち、視覚、聴覚、嗅覚、更には触覚を刺激するものである。前述した内容に関連し、フレームは、有利には、感触が良く、全ての画像、音及び香気の提供と調和するように設計された隆起パターンを有している。顧客の指定する元に出向き配膳、提供するケータリングサービスの分野で用いる場合、ヒトの第五感、即ち、味覚も刺激するように、多感覚画像装置を料理の提供者に関連付けることもできる。
【課題を解決するための手段】
【０００７】
多感覚画像装置は、感覚を同時に刺激して感情を誘発するようにアーティストが作製した特定のデジタル作品を提供することができる。これに関し、本発明の手段により提供される作品は、画像、音、香気及びフレームが分離できない全体を形成するように作られる。特に、画像、音及び香気は、好ましくは、同調して変化する。
【０００８】
互換フレームは、成形木材からなり、例えば、提供される作品に特有の図柄や隆起パターンを備えた標準的な額縁である。従って、多感覚画像装置は、例えば特許ＷＯ００１８６９６Ａ１のようにこれらの機器が香気拡散装置を備えていたとしても、テレビ、コンピュータ又はマルチメディア電話等の標準的なマルチメディア機器よりも多くの拡張された機能を備えた画像装置である。
【０００９】
多感覚画像装置は、デジタルテレビやコンピュータにより制御される香気提供アクセサリ装置からなる特許ＥＰ０１２１２１０４Ｂ１に記載の発明とは異なる。それは、携帯電話の分野に関する特許ＷＯ００１８６９８６Ａ１に記載の発明とも異なる。更に、例えば情報や動画などを表示するスクリーンが配置される鉄道の駅のコンコースといった広い空間を芳香で満たすように設計された香気拡散装置が存在する。これらの装置は、一般に、広い空間に一つの香気を拡散し、香気の提供とデータの提供との間に同調性も調和性も見られない。個々のワークステーション用に設計された香気拡散装置も市販されている。この場合、一般には、非常に局在化されたかたちで一つの香気が拡散される。これらの装置は、例えば嗅覚サイトとして知られ、インターネットによるアクセスが可能なサイトからの要求に応じて、臭いを極めて短い距離で提供するのに用いられる。
【００１０】
多感覚画像装置の場合、作品の視聴覚的な内容に合うように個人向けのフレーム及び各種の香気のセットを具体的に選択し、それにより、全ての静止画像、動画、音、香気及びフレームが分離できない全体を形成し、作製される各多感覚作品に固有なものとなり、それを本発明の手段によってのみ提供することができる。多感覚画像装置は、公知の最新端装置によっても提供できないデジタル作品を提供することができる。
【００１１】
最も広い意味において、本発明は、グラフィック表示手段、音声提供手段、複数の香気を提供する手段、デジタルデータ受信手段及びコンピュータ手段を有する多感覚画像装置であって、コンピュータ手段が、ディスプレイ、音声提供及び香気提供手段を制御し、かつ同調させるように配置された多感覚画像装置に関する。
【００１２】
本発明の一実施形態において、フレームは着脱及び交換可能であり、デジタル多感覚作品の提供に応じてそれを個人専用することができる。
別の実施形態において、香気提供手段は、香気液を微細化する方法で作動し、各種の香気を有する液体が、各種の再充填又は交換可能な小瓶に収納されている。
【００１３】
一実施形態において、香気提供手段は、香気液に予め浸漬された一連の多孔質ボールに空気流を通過させるように作動し、各種の香気を有するボールは、再充填又は交換可能な種々の容器に収納されている。これら２つの提供手段は、小瓶やボールを交換するだけで香気モジュールを容易に管理できることと、それらを通過する空気流の微細化や制御により、正確に、かつ効果的に香気を提供できることとを組み合わせている。
【００１４】
ある具体的な実施形態において、音提供手段の音源の大部分が隠蔽されており、反射体を形成する剛性プレートに向けて音を発することで、画像装置を通過させることなく、その音を視聴者に向けて伝えることができる。一実施形態において、多感覚画像装置は、公知の種類の有線又は無線リンクを用いて提供されるデジタル多感覚作品をダウンロードする手段を有しており、それにより、非常に多数のデジタル作品にアクセスすることができる。
【００１５】
一実施形態において、コンピュータ手段は、製作者に対する使用料を計算するため、多感覚作品が提供される回数をカウントするプログラムを有する。
別の実施形態において、多感覚画像装置は、デジタル多感覚作品に含まれる命令に従いコンピュータ手段により制御され、画像装置の形式を自動的に縦、横、斜めにする機械的手段を有する。このシステムによって、デジタル作品の形式を自動的に調節でき、それゆえに、正しい視覚表現を保証することができる。
【００１６】
ある具体的な実施形態において、コンピュータ手段は、ソフトウェア解読キーを所有しないユーザーへの多感覚作品の提供を防止するため、予め暗号化されたデジタル多感覚作品を解読するソフトウェアを有している。
【００１７】
別の実施形態では、複数の多感覚画像装置が、標準的な電気通信ネットワークを通じて遠く離れたコンピュータサーバーと接続されることで、単一のサーバーからいくつかの場所で、デジタル多感覚作品を提供することができる。
【００１８】
別の実施形態では、複数の多感覚画像装置が、有線又は無線リンクにより互いに接続されることで、同じ部屋で、複数の画像装置の多感覚作品を提供することができる。
ある具体的な実施形態において、動画多感覚画像装置は、多感覚作品を作製するためのソフトウェアデータベースを有する。
【００１９】
各種実施形態によれば、
−多感覚画像装置は、香気提供手段を通じて香気分子が取り込まれた空気流を運ぶための手段を有し、ダクト手段は、スクリーンの下部に設けられ、実質的に上方を向く出口オリフィスを有しており、
−出口オリフィスは、視聴者に向けて上方に、水平線に対し０°よりも大きい角度で配置されており、
−スクリーンは、コンピュータ、香気の提供、音の提供及びデジタルデータ受信手段の全てを有するフレームに対し旋回するように取着されたドアに取り付けられており、
−多感覚画像装置は、香気提供手段を中立位置に配置し、ドアがフレームに対し開いているときに香気提供手段の容器をロック可能な手段を有している。
【発明を実施するための最良の形態】
【００２０】
以下の図を参照することで、本発明の理解が更に深まるであろう。図中、同じ部材番号は同一又は同様の要素を指すのに用いられている。
画像装置は、好ましくは、６０〜１１０ｃｍの対角寸法と１０ｃｍ未満の厚さとを有している。フラット電子ディスプレイスクリーン１は、大型スクリーン及び高解像度を備えたＬＣＤ技術を使用し、例えば、対角線に沿って７０ｃｍであり、２００万画素である。さらにサイズを大きくするには、スクリーンとしてプラズマ技術を用いることが有利である。
【００２１】
音提供手段２は、１以上の標準的な膜スピーカー、圧電技術の実施、又はフレーム６の寸法内に一体化できる場合又はほとんど見えないように一体化できる場合は、最新技術で公知な他の技術を用いることができる。例えば５０〜２００ヘルツといった低い周波数の可聴音域であっても、高品質の音を得るため、音源の直径を比較的大きくしなければならないことは知られている。審美的な制約から、音源はほとんど見えなくすることが望まれるため、ある設計によれば、多感覚画像装置により隠蔽されるようにその音源が設置される。しかしながら、この場合、画像装置の材料を通過するときに音質が低下する。この欠点を補うための解決方法として、画像装置の背後に音源を設置して見えないようにしたり、例えばフレーム内において、音の反射体を形成する剛性プレート８に向けて音源を設置したりすることが挙げられる。その結果、反射された音は、画像装置を通過することなく、ユーザーへと伝えられる。香気提供手段３は、好ましくは、複数の容器、例えば４つの容器を有し、各容器には、香気液に浸漬された小さい多孔質ボールが収容されている。各容器中の香気は、他のものとは異なり、多感覚作品の形成時には、提供される画像及び音と合うように、それらの組成が選択される。電気タービンは、空気を１以上の容器を通過させて循環し、その結果、香気を含む空気が、多感覚画像装置の正面に向けて拡散される。ボールが乾燥した場合、対応する容器を交換するか、新たな浸漬ボールを再充填するか、乾燥したボールを再度浸漬すれば良い。あらゆる所定の時点で１種類のみの香気が提供されるが、それは、例えばコンピュータユニット５により制御されるソレノイドバルブによって空気をいずれかの容器を通過させて循環し、他の容器を閉じておくことにより得られる。
【００２２】
香気提供手段３として、例えば、特許ＥＰ０１０５４６９７Ｂ１に開示のものを設計するには、各種の他の公知の技術が実施される。別の技術として、再充填又は交換可能な小瓶に収容された香気液を微細化する。その場合には、コンプレッサにより生じた高圧下で、直径の小さい穴に液体を強制的に通過させる。そうして微小液滴が形成され、空気との接触により急速に気化して、香気分子を放出する。別の公知の微細化法として、微小液滴を形成するため、交流が印加される圧電材料の機械的振動力を用いる。最先端の公知な他の微細化法を実施することができる。
【００２３】
香気提供手段、グラフィック表示手段、音提供手段及びコンピュータ手段（データ受信、マルチメディアデータ保存）は、多感覚画像装置内に一体化されている。これら各種の手段は、別々の物理的モジュールにより実行されるため、それらの管理が容易になる（低コストで交換、異常検出など）。
【００２４】
距離を置いて香気を提供することが望ましい場合、香気提供手段３は、多感覚画像装置から離れた位置に配置することができる。それは、有線又は無線リンクにおけるコンピュータ手段５によって遠隔制御され、多感覚画像装置の多くのサテライト香気拡散装置から構成することもできる。
【００２５】
図４及び図５を参照すると、電気タービン１０により生じた空気流ＦＡが香気提供手段３の容器を通過する。香気分子を豊富に含む空気（臭気流、ＦＯ）が、ダクト１１によって画像装置から外に向かい、オリフィス９から放出される。図４に示す構成では、タービンが垂直な空気流を下方に送ることで、重力を利用して空気流の供給のための電力消費を至適化し、その空気流が手段３を通過する。常に画像装置の下方に向く流れがダクト１内に収容され、その後、画像装置の下部で、ダクト１１のエルボー１２により、ユーザーに向けて放出される。
【００２６】
製造を容易にするため、エルボー１２は主ダクト１１に対して直角に作製される。
スクリーンに臭うといった視聴者の印象を強めるため、視聴者に向けて上方に０よりも大きい角度でエルボーから空気流を放出する。その角度は、０°〜４５°の範囲から選択され、例えば２０°が選択される。しかしながらこの値は、視聴者との近さに応じて決定又は調整される（簡単な幾何計算により所望の角度の近似値が得られる）。
【００２７】
エルボー１２には、空気流がダクトエルボーの下部に「衝突」するのを防止する反射プレート１３が備えられている。この問題を解決するためエルボーを丸くすることにでき、その場合、プレート１３は不要である。データ受信手段４は、ＣＤ−ＲＯＭ（コンパクトディスク−読み出し専用メモリ）読取装置、ＤＶＤ（デジタルビデオディスク）読取装置、ＵＳＢ（ユニバーサル・シリアル・バス）読取装置、又は多感覚作品に必要なデータ量を保存できる他のデータ媒体からなる。それは、遠隔サーバー又は無線送信機からダウンロードされたデータ用の受信機であってもよい。
【００２８】
この場合、データは、コンピュータ手段５の必須部分であるハードディスクに保存される。ダウンロードは、標準的なコンピュータ通信ポートを介した一時的な配線接続により、又は、例えばＷｉ−Ｆｉやブルートゥース規格を用いた公知技術によるワイヤレスリンクによって行うことができる。
【００２９】
コンピュータ手段５は、主としてマイクロプロセッサ、ＲＡＭメモリー、ハードディスク及びソフトウェアからなる。それらは、スクリーン１、音提供手段２、香気提供手段３を制御し、多感覚作品データを保存することができる。互換性フレーム６は、フレーム描画によく用いられる成形装飾フレームと同じ外観を有しており、好ましくは、木材製であるが、画像装置に現代的な外観を持たせることを求める多感覚作品には、例えばアルミニウムやＰＶＣなどの他の材料を使用してもよい。ユーザーの触感を刺激するため、フレームには、ユーザーが触れるための隆起パターンを設けてもよい。これらの形状は、画像、音及び香気と調和するように設計され、その全体が多感覚作品を構成する。
【００３０】
本発明の具体的な実施形態によれば、多感覚画像装置は、例えば画像装置を縦、横形式に、又は斜めと称される中間的な位置に自動的に配置するための電気制御モーター及びギアを有するシステムといった機構を備えている。その位置決定は、多感覚作品に含まれるコマンドに従いコンピュータ手段５によって動的に制御される。
【００３１】
本発明の別の実施形態によれば、コンピュータ手段５に一体化されるソフトウェアは、各多感覚作品が提供された回数をカウントすることができ、それにより、作品の製作者に支払うべき利用料を計算することができる。
【００３２】
デジタル作品は、香気提供手段又は装置に接続された他の手段（提供される画像に関する画像装置の配置など）を制御するため、インデックスと共にＭＰＥＧ（動画の圧縮・伸長の国際標準規格）により圧縮されたビデオフローの形態で提供される。データは、この提供を規定するパラメータ（時間、出力、同調、いくつかの香気を混合するタイミング等）に加え、提供される香気を指示するために、全てのビデオシーンの変化（「Ｉ」（内部）画像に代表される）で記録される。コンピュータ手段５は、全ての提供手段を効果的に制御するため、これらの補完データを復号することができる。
【００３３】
本発明の別の実施形態によれば、コンピュータ手段５に組み込まれたプログラムは、多感覚作品のデータが暗号化されている場合、その多感覚作品のデータを解読することができる。一方で、これにより、標準的なマルチメディア視聴装置上で作品が部分的に提供されることが防止され、他方で、解読キーの分配を容易に管理することで多感覚作品の提供が認証又は禁止される。
【００３４】
本発明の別の実施形態によれば、多感覚画像装置は、遠隔サーバーからの多感覚作品のダウンロードが可能なインターネット等の大規模ネットワークと通信する手段を備えている。
【００３５】
本発明の別の実施形態によれば、有線又は無線リンクにより互いに同調された複数の多感覚画像装置が一つの部屋に一緒になって配置されている。これにより、複数の多感覚画像装置用に作られた多感覚作品、例えば画像が幾つかある画像装置のうちの一つから別の画像装置へと順に表示されて視聴者の興味を増大させるような作品を提供することができる。
【００３６】
図５を参照すると、スクリーン１が蝶番及び油圧シリンダーによってドア１４に取り付けられ、スクリーンの供給手段（電力及びデータ）は、例えば継手に配置された電気ブレードからなる。ドアを開けると、適切なセンサーを用いた検出によって多感覚作品の提供が停止される（ビデオ、音、香気などを停止する。）。この開放によって、装置の内部要素、即ちプログラミング、アップデート等を行うコンピュータ手段５及び容器を変える香気提供手段３へのアクセスが可能となる。従って、ユーザーは、香気容器に容易、かつ直感的にアクセスし、それらを必要に応じて交換することができる。
【００３７】
マイクロコントローラ又はコンピュータ手段は、ドアが開いていることを検出し、香気提供手段３に作用して、下記のことを行う。
−香気提供手段の全ての機械的要素をニュートラル位置に配置することで、ユーザーがそれらを誤って動かしたり変更したりできないようにすることができる。例えば、容器が密閉される位置にサーボモーターが配置される。
【００３８】
−化学物質の安全性を確保するため、香気容器／カートリッジへのアクセスをロックする。例えば、ユーザーは、容器をそれらの位置から簡単に取り出すことができない。
【図面の簡単な説明】
【００３９】
【図１】本発明の主要な構成要素であって、即ち静止画や動画を表示するスクリーン１、音提供手段２、複数の香気を提供する手段３、データ受信手段４、コンピュータ手段５及び互換性フレーム６の概略図。
【図２】スタンド７上に取り付けられた横形式での多感覚画像装置の設計についてその一例を示す図。
【図３】音が画像装置を通過しないが、音源が後者により隠蔽されている音提供手段２の設計についてその一例を示す図。
【図４】画像装置内部のコンピュータ及び香気提供要素のアクセス可能性を示す図。
【図１】
2008517341.tif 000003
【図２】
2008517341.tif 000004
【図３】
2008517341.tif 000005
【図４】
2008517341.tif 000006
【図５】
2008517341.tif 000007
【国際調査報告】
2008517341.tif 000008
2008517341.tif 000009
2008517341.tif 000010
2008517341.tif 000011
2008517341.tif 000012
2008517341.tif 000013